(57)【要約】      （修正有）【課題】ペットが排便する都度ペットシーツを交換する必要が無い様に、数枚のペットシーツを収納しておいて自動で交換するペット用トイレを提供する。【解決手段】市販の矩形ペットシーツが数枚収納でき、その下部を移動するベルトコンベアのベルトと同調してペットシーツを1枚ずつ払い出す機構を有する収納箱１０、および排便の都度設定した時間後に移動を開始して、そのベルトに載せたペットシーツ１１を移送して大便とペットシーツを各々の容器に分別し、さらに移動して前記収納箱と同調して新しいペットシーツを取り出し所定の位置に移送して停止するベルトコンベアを適切に配置して、ペットシーツを自動で交換する。【選択図】図１
0003106315.tif 000002
【実用新案登録請求の範囲】
【請求項１】
ペットシーツを交換して使用するペット用トイレにおいて、ペットシーツが数枚入る収
納箱とケージをトイレ上部に有し、交換に際しては、大便と汚れたペットシーツをトイレ
内部の箱に分別回収した後、前記収納箱から新しいペットシーツを引き出し排便場所に移
送して停止するベルトコンベアを有することを特徴とするペットシーツ自動交換トイレ。
【請求項２】
前記収納箱は、矩形のペットシーツの一辺を複数の磁石を溝部に付けた溝形鋼の棒と平
鋼の棒とで磁力を利用して挟んだペットシーツを数枚収納し、交換に際しては、収納箱の
下部に配置したベルトコンベアのベルトの移動と同調してペットシーツを挟んだ２本の棒
を１組ずつ押し出す機構を有する請求項１記載のペットシーツ自動交換トイレ。
【請求項３】
前記ベルトコンベアは、使用開始時には、飼い主が運転スイッチを押してモーターを回
転して該ベルトの移動を開始させ、該ベルトの移動と同調して押し出されるペットシーツ
の一辺を挟んだ溝形鋼の磁石部分を該ベルト表面に取り付けた磁石で吸着し、該ベルトの
移動とともにペットシーツを引き出して移送を行い、リミットスイッチの検知で排便場所
に停止させる、排便後の交換は、排便をペットの重量による上側該ベルトの撓みをリミッ
トスイッチで検知して認識し、検知の設定時間後に該ベルトの移動を開始し、大便はその
一端で落下させ、ペットシーツは該ベルトで下側に移送されて該フレームに固定した櫛歯
状の分離機構で分離して重力で落下させ、さらに移動する該ベルトは、使用開始時の如く
本願請求項２記載の収納箱と同調してペットシーツを引き出し、排便場所への移送と停止
を行って交換が完了する請求項１記載のペットシーツ自動交換トイレ。
【考案の詳細な説明】
【技術分野】
【０００１】
本考案は、ペット用トイレに関するものである。
【背景技術】
【０００２】
室内で放し飼いするペットには、排便する場所として、ペットシーツを敷いた広くて浅
い容器（実用新案文献１参照）やペットシーツを敷いたケージ（実用新案文献２参照）が
提供されていることは周知のとおりである。これら技術は、容器あるいはケージに関する
もので、ペットシーツの交換に関した技術ではなく、使用に際しては後記の問題があった。なお、図１１に、ペットシーツを上記参照文献の容器やケージに使用した例を示す。
（実用新案文献１：登録実用新案第３０９００２９号）
（実用新案文献２：登録実用新案第３０６０６９８号）
【０００３】
図１１に示す方法では１枚のペットシーツが敷かれており、ペットによっては一度排便
したペットシーツに重ねて排便することを嫌いその近くに排便するため、飼い主はペット
が排便する都度ペットシーツを交換しなければならない問題があった。
【０００４】
また、糞尿を放置しておくと、室内に異臭が充満し、重ねて排便するペットにあっては
体を汚して室内を歩行することもあり、性急にペットシーツを交換しなければならない問
題もあった。
【０００５】
このような問題を避けるため、ペットシーツを複数敷くとか、広いペットシーツを敷く
とかして、対策に苦慮していた。
【考案の開示】
【考案が解決しようとする課題】
【０００６】
上記ペットシーツを複数敷く対策では、ペットが各ペットシーツの適切な位置に排便し
なくペットシーツとペットシーツの間から洩れて床を汚す問題があり、広いペットシーツ
を敷く対策でも、異臭や体の表面を汚す問題の解決にはならなく、飼い主はペットが排便
する都度性急なペットシートの交換を余儀なくされていた。本考案は、上述した問題を解
消するペット用トイレを提供することを目的とする。
【課題を解決するための手段】
【０００７】
上記目的を達成するため、本願は、ペットシーツを交換して使用するペット用トイレに
おいて、ペットシーツが数枚入る収納箱とケージをトイレ上部に有し、交換に際しては、
大便と汚れたペットシーツをトイレ内部の箱に分別回収した後、前記収納箱から新しいペ
ットシーツを引き出し排便場所に移送して停止するベルトコンベアを有するものである。
【０００８】
そして前記収納箱は、矩形のペットシーツの一辺を複数の磁石を溝部に付けた溝形鋼の
棒と平鋼の棒とで磁力を利用して挟んだペットシーツを数枚収納し、交換に際しては、収
納箱の下部に配置したベルトコンベアのベルトの移動と同調してペットシーツを挟んだ２
本の棒を１組ずつ押し出す機構を有する。
【０００９】
また前記ベルトコンベアは、使用開始時には、飼い主が運転スイッチを押してモーター
を回転して該ベルトの移動を開始させ、該ベルトの移動と同調して押し出されるペットシ
ーツの一辺を挟んだ溝形鋼の磁石部分を該ベルト表面に取り付けた磁石で吸着し、該ベル
トの移動とともにペットシーツを引き出して移送を行い、リミットスイッチの検知で排便
場所に停止させる、排便後の交換は、排便をペットの重量による上側該ベルトの撓みをリ
ミットスイッチで検知して認識し、検知の設定時間後に該ベルトの移動を開始し、大便は
その一端で落下させ、ペットシーツは該ベルトで下側に移送されて該フレームに固定した
櫛歯状の分離機構で分離して重力で落下させ、さらに移動する該ベルトは、使用開始時の
如く本願請求項２記載の収納箱と同調してペットシーツを引き出し、排便場所への移送と
停止を行って交換が完了することを特徴としている。
【考案の効果】
【００１０】
本考案は上記特徴を有するので、飼い主は、床が汚れる心配が無いのでペットシーツを
性急に交換する必要が無くなり、ペットがペットシーツの収納枚数と同じ回数排便するま
で、ペット用トイレの清掃から解放される。
【００１１】
また、大便と汚れたペットシーツはトイレの内部に分別して溜めるので、ペットが体を
汚すことも無く、異臭も軽減することができる。
【考案を実施するための最良の形態】
【００１２】
本考案は、ペットシーツを自動で交換するペット用トイレの提供にある。従って、ペッ
ト用トイレとして、ペットがペットシーツの適切な位置に排便する様に、ペットシーツを
排便場所の同じ位置に敷く機能とペットの排便姿勢を制限するケージを有している。
【００１３】
また数枚のペットシーツを収納する箱を有し、その箱からペットシーツを1枚ずつ取り
出す機構を有し、使用開始時にはスイッチでペットシーツを排便場所に敷きペットの排便
を待つ、ペットシーツの交換に際しては、ペットの排便をペットがケージ内に侵入したこ
とで認識し、認識から設定した時間後に大便と汚れたペットシーツの交換動作を開始して
、大便と汚れたペットシーツを分別回収する箱に溜め、その後に新しいペットシーツを排
便場所に敷く機能を有することで、ペットシーツを自動で交換するペット用トイレを実現
する。
【実施例】
【００１４】
図１ないし図１０は、本考案の１実施例を説明する図である。図１は装置を構成する主
要部の配置を示す斜視図で、トイレ本体の上面にペットシーツ収納箱とケージを、トイレ
本体の上部にベルトコンベアを配置しており、トイレ本体の内部には大便とペートシーツ
を受ける容器を格納している。図２は磁石の付いた溝形鋼の棒と平鋼の棒でペットシーツ
の一辺を挟んだ状態を示す図である。
【００１５】
図３ないし図７は、ペットシーツ挟んだ２本の棒をシーツ収納箱より１組ずつ押し出す
機構を説明する図である。また、図８はペットシーツを排便場所に敷いた状態、図９は排
便後の移送途中でペットシーツを分離する直前の状態を示す図である。なお、図１０にて
ペットシーツの分離機構を説明する。
【００１６】
この図１において、シーツ収納箱１０は、中心付近に数枚のペットシーツ１１を吊るし
てコンパクトに収納し、引き出す時の摩擦力が小さい円筒形状のシーツハンガー１５、下
面にペットシーツが出て行く細長い矩形の穴のシーツ出口１６、両側面の下部に図３ない
し図７で説明するペットシーツを挟んだ２本の棒１３，１４を１組ずつ押し出す機構を有
する。
【００１７】
図２は磁石の付いた溝形鋼１４と平鋼１３の２本の棒でペットシーツ１１の一辺を挟ん
だ状態で、図２（ｂ）に示す様に、その棒の長さは挟んだペットシーツの辺の長さより長
い。また、上下板２１はシーツ収納箱１０の内部に出ており、ペットシーツ１１の一辺を
挟んだ２本の棒１３，１４がその下にある時、上下板２１が下がれば押し出せる位置関係
にあることを示す。なお、数枚のペットシーツ１１を使用する場合でも磁石Ａ１２の極性
は全て同じ方向にして、互いに吸引し密着して移動する様にする。
【００１８】
図３ないし図７においてペットシーツ１１を１枚ずつ払い出す一連の動作を説明する。
図３はペットシーツ１１をシーツ収納箱１０に２枚セットした状態の例であり、使用開始
時や交換時の電気信号で図８および図９の減速機付きモーター３４が回転を開始し、伝動
ベルト３５で駆動ローラー３１に回転が伝えられ、ベルト３３が移動を開始する。ベルト
３３が移動すると、ベルト３３に取り付けられているストライカー３７も移動し、上下板
２１の下部に接触する。そして、ストライカー３７の進行に連れて、上下板２１は図３（
ａ）と（ｂ）中の上向矢印に示すようにバネ２２に逆らって上に押し上げられる。
【００１９】
図４は上下板２１が最も上方に押し上げられた状態で、ペットシーツ１１の一辺を挟ん
だ２本の棒１３，１４は、シーツ収納箱１０の磁石Ｂ１７に吸引されてシーツ収納箱１０
を構成する壁に密着するまで移動して保持されている。この位置は、上下板２１の押出し
部の下でシーツ出口１６の上になっている。この磁石の動作は、図７で詳細に説明する。
【００２０】
ベルト３３が移動するにつれ、上下板２１とストライカー３７の位置関係は、図４から
図５になるが、この間、上下板２１は図５（ａ）と（ｂ）の下向矢印に示すようにバネ２
２で下に押し下げられる。上下板２１が押し下げられると、その下方に移動していたペッ
トシーツ１１の一辺を挟んだ２本の棒１３，１４がシーツ収納箱１０のシート出口１６よ
り押し出される。この状態が図５で、押し出された直後にベルト３３に固定された磁石Ｃ
３９が接近して磁石Ａ１２の付いた部分を吸着し、図面右方向へ移送してペットシーツを
引き出す。この磁石の動作も、図７で詳細に説明する。なお、図６はペットシーツ１１が
１枚払い出された後の状態で、次の払い出しを待っている状態である。
【００２１】
ここで図７に示すペットシーツ１１の一辺を挟んだ２本の棒１３，１４の動きを説明す
る。図７（ａ）は、上下板２１が下がっていて、２本の棒１３，１４はシーツ出口より落
下しなく、払い出しを待っている状態である。図７（ｂ）は、払い出しが始まり、上下板
２１が押し上げられ、その空隙にシーツ収納箱１０の壁に固定した磁石Ｂ１７が吸引した
２本の棒１３，１４が移動して保持されている状態である。この直後２本の棒１３，１４
は、シーツ収納箱１０のシーツ出口１６より上下板２１で押し出され図７（Ｃ）の状態に
なり、さらにベルト３３に固定した磁石Ｃ３９が接近し、棒１４に付けた磁石Ａ１２の部
分を図７（Ｃ）の四角の破線で囲んだ状態で吸着して移送する。その結果、ペットシーツ
１１がシーツ収納箱より引き出され払い出しが完了したことになり、図７（ｄ）の状態に
なって次の払い出しを待つ。
【００２２】
図８はペットシーツ１１が排便位置に敷かれた状態、つまりペットの排便を待っている
状態で、シーツ収納箱１０より払い出されたペットシーツ１１は、ペットが排便する姿勢
を制限するケージ６０の下部内側の周囲に配した小便を外側に流出させないための尿ガイド
６１の領域を包含する位置にリミットスイッチＡ４０を使って停止させる。
【００２３】
その後、ケージに犬が入りその重量でベルト３３がたわんでリミットスイッチＢ４１が
検知したら排便したと判断して、設定時間後にベルト３３が移動を開始してペットシーツ
１１の移送が始まる。移送に伴い、大便はローラー３２側でペットシーツ１１の上より大
便受け箱５２に落下し、さらに移送されたペットシーツ１１は図９で示すようにその後端
がシーツサポート３８を通過するとシーツ受け箱５１に落下するようになる。さらに移送
されたペットシーツ１１は、ベルト３３の磁石Ｃ３９と吸着している溝形鋼１４が図１０
の分離機構で分離されてシーツ受け箱５１に落下する。
【００２４】
図１０はペットシーツ１１をベルト３３から分離する機構を示す図で、ベルト３３に取
り付けられた磁石Ｃ３９の間隙部が本体５０に固定された櫛歯５３を通過する時、磁石Ｃ
３９と吸着しているペットシーツを挟んだ２本の棒１３，１４は通過できなく、吸着部が
分離して重力で落下する。
【図面の簡単な説明】
【００２５】
【図１】本考案の実施例で、主要部の配置を示す斜視図。
【図２】ペットシーツを２本の棒で挟んだ状態を示す（ａ）正面図と（ｂ）側面図。
【図３】ペットシーツ２枚をシーツ収納箱に入れた例で、ストライカー接触後の上下板の動きを破線矢印で示す（ａ）正面図と（ｂ）側面図。
【図４】上下板が上がって、ペットシーツを挟んだ２本の棒を押し出す前の状態を示す（ａ）正面図と（ｂ）側面図。
【図５】ペットシーツを挟んだ２本の棒を押し出した状態で、押し出す動作を破線矢印で示す（ａ）正面図と（ｂ）側面図。
【図６】ペットシーツ１枚を払い出した後の状態を示す（ａ）正面図と（ｂ）側面図。
【図７】ペットシーツを挟んだ２本の棒の動作を説明する図。
【図８】ペットシーツを排便場所に敷いた状態を示すベルトコンベアの断面図。
【図９】ペットシーツを分離する直前の状態を示すベルトコンベアの断面図。
【図１０】磁石４個を使用した例で、ペットシーツを分離する機構を示す斜視図。
【図１１】ペットシーツが一般的に使用されている状態を示す斜視図。
【符号の説明】
【００２６】
１０    シーツ収納箱
１１    ペットシーツ
１１ａ  ペットシーツ（区別が必要な時に使用）
１２    磁石Ａ
１２ａ  磁石Ａ（区別が必要な時に使用）
１３    平鋼
１３ａ  平鋼（区別が必要な時に使用）
１４    溝形鋼
１４ａ  溝形鋼（区別が必要な時に使用）
１５    シーツハンガー
１６    シーツ出口
１７    磁石Ｂ
２０    カバー
２１    上下板
２２    バネ
３１    駆動ローラー
３２    従動ローラー
３３    ベルト
３４    減速機付きモーター
３５    伝動ベルト
３６    安定板
３７    ストライカー
３８    シーツサポート
３９    磁石Ｃ
４０    リミットスイッチＡ
４１    リミットスイッチＢ
５０    本体
５１    シーツ受け箱
５２    大便受け箱
５３    櫛歯
６０    ケージ
６１    尿ガイド
１１１  ペットシーツ（一般的な用法）
１６０  ケージ（一般的な用法）
【図１】
0003106315.tif 000003
【図２】
0003106315.tif 000004
【図３】
0003106315.tif 000005
【図４】
0003106315.tif 000006
【図５】
0003106315.tif 000007
【図６】
0003106315.tif 000008
【図７】
0003106315.tif 000009
【図８】
0003106315.tif 000010
【図９】
0003106315.tif 000011
【図１０】
0003106315.tif 000012
【図１１】
0003106315.tif 000013